(57)【特許請求の範囲】
【請求項１】
ドライアイスの状態変化に由来する冷却エネルギーの回収方法において、
−大気圧未満の圧力でドライアイスを格納する容器（２）と；
−内部に熱伝導流体が循環し容器（２）を横断する一次エネルギー回収回路（３）と；
−容器（２）から気体ＣＯ２を抽出するための吸込み導管（７）と；
−吸込み導管（７）が横断する熱交換器（９）と；
−内部に熱伝導流体が循環し熱交換器（９）を横断する二次回路（１４）と；
を含む装置（１）を用いて実施される方法であって、
−一次エネルギー回収回路（３）内に熱電導流体を通過させることにより、ドライアイスの加熱及び気体ＣＯ２への状態変化、ならびに熱伝導流体の冷却を誘発するステップと；
−容器（２）内に格納された気体ＣＯ２を抽出するステップと；
−大気圧未満まで容器（２）内の圧力を連続的に減圧するステップと； 
−容器（２）から抽出された気体ＣＯ２が、熱交換器（９）内に入るステップと；を含み、
熱交換器（９）内で気体ＣＯ２が自らの冷却エネルギーの一部を、二次回路（１４）内を循環する熱伝導流体に伝達することを特徴とする、方法。
【請求項２】
圧力センサ（８）を用いて吸込み導管（７）内の圧力を連続的に測定するステップを含むことを特徴とする、請求項１に記載の方法。
【請求項３】
圧力センサ（８）によって測定された圧力を中央ユニットに伝送するステップを含むことを特徴とする、請求項２に記載の方法。
【請求項４】
吸込み導管（７）の一端部に位置する真空ポンプ（１１）を用いて、容器（２）内及び吸込み導管（７）内の圧力を調節するステップを含むことを特徴とする、請求項３に記載の方法。
【請求項５】
容器（２）内の圧力が、０．０００５５絶対バールであることを特徴とする、請求項１ないし４のいずれか１項に記載の方法。
【請求項６】
請求項１に記載の冷却エネルギー回収方法を実施することができる、冷却エネルギー回収装置（１）であって、
−大気圧未満の圧力、及び大気圧未満の圧力に対応する固化温度でドライアイスを格納することのできる容器（２）と；
−内部に熱伝導流体が循環し容器（２）を横断する一次エネルギー回収回路（３）と；
−容器（２）から気体ＣＯ２を抽出できるようにする吸込み導管（７）と；
−吸込み導管（７）が横断する熱交換器（９）と；
−内部に熱伝導流体が循環し熱交換器（９）を横断する二次回路（１４）と；
を含む装置であって、
吸込み導管（７）が、気体ＣＯ２を抽出し容器（２）を連続的に大気圧未満の圧力まで減圧できるようにすることのできる手段を備えていることを特徴とする装置（１）。
【請求項７】
請求項４に記載の冷却エネルギー回収方法を実施することができる、冷却エネルギー回収装置（１）であって、
−大気圧未満の圧力、及び大気圧未満の圧力に対応する固化温度でドライアイスを格納することのできる容器（２）と；
−内部に熱伝導流体が循環し容器（２）を横断する一次エネルギー回収回路（３）と；
−容器（２）から気体ＣＯ２を抽出できるようにする吸込み導管（７）と；
−吸込み導管（７）に取り付けられた吸込み用圧力センサ（８）と；
−吸込み導管（７）が横断する熱交換器（９）と；
−熱伝導流体が循環し熱交換器（９）を横断する二次回路（１４）と；
を含む装置であって、
気体ＣＯ２を抽出することのできる手段が真空ポンプ（１１）であることを特徴とする装置（１）。
【請求項８】
請求項４に記載の冷却エネルギー回収方法を実施することができる、冷却エネルギー回収装置（１）であって、
−大気圧未満の圧力、及び大気圧未満の圧力に対応する固化温度でドライアイスを格納することのできる容器（２）と；
−内部に熱伝導流体が循環し容器（２）を横断する一次エネルギー回収回路（３）と；
−容器（２）から気体ＣＯ２を抽出できるようにする吸込み導管（７）と；
−吸込み導管（７）に取り付けられた吸込み用圧力センサ（８）と；
−吸込み導管（７）が横断する熱交換器（９）と；
−内部に熱伝導流体が循環し熱交換器（９）を横断する二次回路（１４）と；
を含む装置であって、
圧力センサ（８）に由来する情報を処理し真空ポンプ（１１）の抽出力を調節することのできる中央ユニットを含むことを特徴とする装置（１）。
【発明の詳細な説明】
【技術分野】
【０００１】
本発明は、大気圧未満の圧力でのドライアイスを用いた冷熱回収方法及び装置に関する。
【背景技術】
【０００２】
「大気圧未満の（ｉｎｆｒａ−ａｔｍｏｓｐｈｅｒｉｑｕｅ）」という表現は、ここでは大気圧より低い圧力を意味する。
【０００３】
二酸化炭素（ＣＯ２）は、料理の分野から重工業に至るまでの多くのさまざまな利用分野において使用されている。
【０００４】
例えば、ガス産業において、化石由来または生物由来のメタンガスはＣＯ２を含有しており、特にメタンの輸送前にこのＣＯ２を抽出することが適切である。実際、その輸送前に、メタンガスは、大気圧で−１６０℃に近い液化温度で液化される。ところが、同じ圧力条件下で、ＣＯ２は、−８０℃に近い温度で固化する。したがって、液化メタンはドライアイスが飽和した状態にあり、このことは工業施設にとって問題である。
【０００５】
したがって、ＣＯ２は、論理的に、公知の異なる手段により、特に清浄技術を用いて、抽出される。抽出されたＣＯ２は、次に大気に向かって廃棄されるかまたは、他の利用分野のために再生利用される。
【０００６】
本発明は、特に工業施設内でのＣＯ２の再生利用に関する。
【０００７】
仏国特許発明第２８２００５２号明細書（ＡＲＭＩＮＥＳ）として公開された仏国特許出願は、固体凝縮という表現でも知られている大気圧下での逆昇華による二酸化炭素の抽出（捕捉）を可能にする方法及びシステムを提示している。ＣＯ２は、逆昇華蒸発器中で０．８９絶対バールの圧力下で約−８０℃の温度で、逆昇華によって捕捉される。冷却流体は、逆昇華蒸発器内を通り、この蒸発器はひとたびドライアイスで満たされた時点で、除霜段階に移る。固体ＣＯ２は液化し、冷却流体は液化エネルギーを回収する。エンタルピーの総変動は２２８ｋＪ／ｋｇである。交換器の伝達効率は９０％である。したがって、冷却流体によって回収されるエネルギーは、２０５ｋＪ／ｋｇである。その上、ＣＯ２は、固体状態での０．８９絶対バールという初期圧力から、液体状態での５．２バール超の圧力まで移行する。
【先行技術文献】
【特許文献】
【０００８】
【特許文献１】仏国特許発明第２８２００５２号明細書
【発明の概要】
【発明が解決しようとする課題】
【０００９】
この先行技術には大きな欠陥がある。ＣＯ２の熱力学特性が、最適な形で活用されていないのである。異なる方法を用いて、ドライアイスから、より高い冷熱を回収する目的で、より大量のエネルギーを再生利用することができると考えられる。
【課題を解決するための手段】
【００１０】
このため、第１に、ドライアイスの状態変化に由来するエネルギーの回収方法が提案されている。この方法は：
−  大気圧未満の圧力でドライアイスを格納する容器（２）と；
−  容器（２）を横断するエネルギー回収用一次回路（３）と；
を含む装置（１）を用いて実施される
【００１１】
この方法は、
−  一次回路内に冷却流体を通過させるステップであって、ドライアイスの加熱及びＣＯ２への状態変化、ならびに冷却流体の冷却を誘発するステップと；
−  容器に格納されたＣＯ２を抽出するステップと；
を含む。
【００１２】
この方法は、大気圧未満の圧力まで容器をほぼ連続的に減圧するステップを含む。
【００１３】
以下のようなさまざまな補足的特徴を、単独でまたは組合せた形で想定することができる：
−  容器から抽出されるＣＯ２は気体である；
−  方法は、容器から抽出されたＣＯ２が熱交換器内を通過するステップを含み、この熱交換器内でＣＯ２は自らの熱の一部を二次回路内で循環する冷却流体に放出する；
−  方法は、圧力センサを用いて吸込み用導管内の圧力をほぼ連続的に測定するステップを含む；
−  方法は、圧力センサによって測定された圧力を中央ユニットに伝送するステップを含む；
−  方法は、吸込み導管の一端部に位置する真空ポンプを用いて、容器内及び吸込み導管内の圧力を調節するステップを含む； 
−  容器内の圧力は、約０．０００５５絶対バールである。
【００１４】
第２に、上述の通りのエネルギー回収方法を実施することのできるエネルギー回収装置において、
−  大気圧未満の圧力及び大気圧未満の圧力に対応する固化温度でドライアイスを格納することのできる容器と；
−  容器を横断し、内部に冷却流体が循環するエネルギー回収用一次回路と；
−  容器からＣＯ２を抽出できるようにする吸込み導管と；
を含む装置が提案されている。
【００１５】
吸込み導管は、ＣＯ２を抽出し、容器を連続的に大気圧未満の圧力まで減圧できるようにすることのできる手段を備えている。
【００１６】
以下のようなさまざまな補足的特徴を、単独でまたは組合せた形で想定することができる：
−  装置は、吸込み導管が横断する熱交換器を含み、熱交換器には同様に二次回路が横断しており、吸込み導管はさらに圧力センサを含み、ＣＯ２を抽出することのできる手段は真空ポンプである。
−  装置は、圧力センサに由来する情報を処理し真空ポンプの抽出力を調節することのできる中央ユニットを含む。
【００１７】
本発明の他の目的及び利点は、ドライアイスからのエネルギー回収用の装置の概略図を表わす図を参照しながら以下でなされている一実施形態についての説明に照らして、明らかになるものである。
【図面の簡単な説明】
【００１８】
【図１】エネルギー回収用一次回路３が横断する容器２を含む装置１を表わす。
【発明を実施するための形態】
【００１９】
一次回路３は、一次ポンプ４を含む。一次ポンプ４は、一次出力変更装置６によりそれ自体制御されている一次可変速度電動機５によって運転される。
【００２０】
冷却流体が一次回路３内を循環する。冷却流体は液体または気体であり得る。冷却流体が気体である場合、一次ポンプ４は圧縮機である。
【００２１】
装置１は、吸込み用圧力センサ８を備えた吸込み導管７を含む。
【００２２】
吸込み導管７は、熱交換器９を横断した後、一端部１０から再び出ていく。端部１０には、制御機構１３によって制御される周波数変更装置１２によって運転される真空ポンプ１１が備わっている。
【００２３】
熱交換器９にはさらに、熱回収用二次回路１４が横断している。冷却流体が二次回路１４内を循環する。二次回路１４は、二次ポンプ１５を含む。二次ポンプ１５は、それ自体二次出力変更装置１７により制御されている二次可変速度電動機１６によって運転される。
【００２４】
ここで以下の表１を参照しながら、エネルギー回収方法について説明する：
【００２５】
【表１】
0006804461.tif 000002
【００２６】
表中に提供されているデータは、ＣＯ２に関するものである。この表は、左から右へ、昇華温度、飽和絶対圧力、密度及び昇華潜熱を示す。
【００２７】
これらのデータは、スタンフォード大学機械工学部のＷ．Ｃ．ＲｅｙｎｏｌｄｓのＳＩ中で「Ｔｈｅｒｍｏｄｙｎａｍｉｃ  ｐｒｏｐｅｒｔｉｅｓ」という題の著書に記載の式に基づいて、昇華潜熱についての補足的計算と共にソフトウェアＲｅｆｐｒｏｐ９によって提供されたものである。
【００２８】
簡略化すると、エネルギーは２つの部分に分解される。一方の部分は、力学エネルギーに変換可能であり、もう一方は変換不能である。力学エネルギーに変換可能な部分は、エクセルギーと呼ばれる。したがって、エクセルギーによって１つのエネルギーの量を測定することが可能になる。
【００２９】
ＣＯ２に関しては、その温度が低くなればなるほど、潜熱のエクセルギー値は高くなる。
【００３０】
固体状態にあるＣＯ２は、ドライアイスと呼ばれる。初期の瞬間において、容器２は、所与の質量のドライアイスを含む。容器２内の圧力は大気圧未満である。すなわち、容器の圧力は、１バールである大気圧よりも低い。
【００３１】
この大気圧未満の圧力は、真空ポンプ１１によって恒常に保たれる。この実施形態において、容器内の圧力は０．０００５５絶対バール、つまり−１４０℃の昇華温度である。容器２は、外部環境との熱交換を削減するため、効率の高い断熱材で被覆されている。
【００３２】
一次回路３内を循環する冷却流体は、容器２を横断し、ドライアイスとの熱交換によって冷却される。
【００３３】
ドライアイスは、冷却流体の作用下で加熱され、その温度が０．０００５５絶対バールの圧力で−１４０℃を超えた場合に瞬間的に昇華する。
【００３４】
このとき、圧力及び温度は、ドライアイスの昇華の作用下で自然に上昇する傾向を有する。それを回避するために、真空ポンプ１１はより多くの気体ＣＯ２を抽出して、０．０００５５絶対バールの圧力が恒常にとどまるようにし、こうして昇華温度は−１４０℃に維持されることになる。実際、先に説明した通り、潜熱のエクセルギー値は、昇華温度が低くなればなるほど高くなる。
【００３５】
エネルギー回収は、ドライアイスの完全昇華まで行なわれる。ひとたびドライアイスが完全に消失したならば、容器２にドライアイスが再充填される。
【００３６】
容器２内の圧力の調節は、吸込み圧力センサ８を用いて、吸込み導管７内の圧力を測定することによって行なわれる。
【００３７】
吸込み導管７内の圧力の値は、図に表現されていない中央ユニットに連続的に送信される。
【００３８】
吸込み導管７内の圧力が目標圧力、この場合０．０００５５絶対バールを超えた場合、中央ユニットは、制御機構１３及び周波数変更装置１２を介して、真空ポンプ１１に対して、より多くの気体ＣＯ２を抽出して目標圧力が達成され、それが吸込み導管７内で恒常にとどまるようにするように命令する。容器２内及び吸込み導管７内の圧力は、ほぼ同一である。
【００３９】
容器２から出る気体ＣＯ２は、熱交換器９を横断し、その顕熱の一部分を二次回路１４内で循環する冷却流体に放出する。
【００４０】
一次回路３内及び二次回路１４内の冷却流体の流量は、一次回路３についてはドライアイスとそして二次回路１４については気体ＣＯ２との熱交換が可能な限り高い効率のものとなるように適応させることができる。
【００４１】
こうして、顕熱の一部分は二次回路１４によって回収される。潜熱に対比して、顕熱は、ＣＯ２の状態変化無く、放出されたエネルギーに対応する。
【００４２】
二次回路１４内の冷却流体及び吸込み導管７内のＣＯ２は、逆流で循環することが有利である。
【００４３】
冷却流体は、−１４０℃に近いこれらの低温で固化せずにいることのできるものでなければならない。このような理由から、有利にはプロパンを冷却流体として使用することができる。
【００４４】
熱交換器９内の熱伝達は、大きい温度差にわたり行なわれる。典型的には、この温度差は−１４０℃から２０℃まで広がっている。顕熱は約１２０ｋＪ／ｋｇである。
【００４５】
容器２内では、表を参照すると、昇華潜熱は約５９４ｋＪ／ｋｇである。
【００４６】
したがって、回収可能な合計熱は、約７１４ｋＪ／ｋｇである。９０％の効力での熱交換を可能にする機器を用いると、実際に回収される合計熱は約６４３ｋＪ／ｋｇである。
【００４７】
このように説明してきた方法及び装置は、二酸化炭素の熱力学特性を有利に活用することにより、はるかに効力の高いドライアイスのエネルギー回収を可能にする。
【図１】
0006804461.tif 000003